(57)【特許請求の範囲】
【請求項１】
受信した画像を記憶する画像メモリと、転送先の電話番号及び画像のプリントオン、オフ設定を記憶するメモリと、転送画像であることを表示する送信案内情報の作成手段と、制御手段とを備え、前記制御手段により画像メモリに記憶されている画像を読み出し、当該画像に転送元でのプリントの有無を含む送信案内情報を添付して所定の転送先に転送することを特徴とする通信端末装置。
【請求項２】
前記送信案内情報に、転送元となる通信端末装置が発信元から画像を受信した受信時刻を含むことを特徴とする、請求項１に記載の通信端末装置。
【請求項３】
前記発信元の発信者識別番号を検出する手段を備え、前記送信案内情報に当該発信者識別番号を含むことを特徴とする、請求項１または請求項２に記載の通信端末装置。
【発明の詳細な説明】
【０００１】
【発明の属する技術分野】
本発明は、転送先の文書整理が適確に行なえる構成とした通信端末装置に関する。
【０００２】
【従来の技術】
ファクシミリ装置においては、コピ−機能を併せ持つ複合機として構成されるものが知られている。このような複合機は、一般にオ−トドキュメントフィ−ダ（ＡＤＦ）や、フラットベッドスキャナ（ＦＢＳ）として機能するフラットベッド型の読み取り用原稿載置台が備え付けられている。
【０００３】
複合機で原稿をコピ−する際には、コピ−部数や原稿の種類（通常の文字や図形のイメ−ジ情報か写真か）に応じた読み取りモ−ド（解像度）を指定してから、スタ−トボタンを押して原稿の読み取りを開始し、指定した部数の記録紙にコピ−プリントしている。
【０００４】
前記複合機等の通信端末装置においては、発信元から送信される画像を受信して、受信した画像を予め設定されている転送先に転送する機能を有するものが知られている。
【０００５】
図１２は、このような転送機能を有する通信端末装置を配置した例を示すブロック図である。図１２において、１は発信元、２は交換機、３は通信端末装置、４、５は転送先である。発信元１から送信された画像を交換機２を通して通信端末装置３が受信して画像メモリに記憶する。通信端末装置３は転送元となって、受信した画像を必要に応じて交換機２を通して転送先４、５に転送する。
【０００６】
通信端末装置３から画像を転送先４、５に転送する際には、転送受付時間帯を定めて、該時間帯内に受信して画像メモリに記憶している画像を読み出して転送するようにしている。この時間帯は、業務内容等を考慮してユ−ザが適宜の時間を設定している。なお、図１２では転送先は２個所設定されているが、転送先はユ−ザが所定数設定できるものである。
【０００７】
【発明が解決しようとする課題】
従来の画像転送においては、通信端末装置で発信元から受信した画像をそのまま転送先に転送していた。このため、転送先では着信した画像が直接発信元から送信された画像であるのか、転送元から転送された画像であるのか判断できなかった。このため、画像で受信した文書の整理が遅れたり、着信した画像についてどこに問い合わせをしたら良いのか不明であるという問題があった。
【０００８】
本発明は、かかる現状に鑑みてなされたものであり、転送先の文書整理が適確に行なえる構成とした通信端末装置の提供を目的とする。
【０００９】
【課題を解決するための手段】
上記目的は、請求項１に係る発明において、通信端末装置を、受信した画像を記憶する画像メモリと、転送先の電話番号及び画像のプリントオン、オフ設定を記憶するメモリと、転送画像であることを表示する送信案内情報の作成手段と、制御手段とを備え、前記制御手段により画像メモリに記憶されている画像を読み出し、当該画像に転送元でのプリントの有無を含む送信案内情報を添付して所定の転送先に転送する構成とすることにより達成される。
【００１０】
また、請求項２に係る発明は、請求項１に記載の通信端末装置において、前記送信案内情報に、転送元となる通信端末装置が発信元から画像を受信した受信時刻を含むことを特徴としている。
【００１１】
また、請求項３に係る発明は、請求項１または請求項２に記載の通信端末装置において、前記発信元の発信者識別番号を検出する手段を備え、前記送信案内情報に当該発信者識別番号を含むことを特徴としている。
【００１２】
請求項１に係る発明によれば、送信案内情報を転送先で記録紙にプリントすることにより、着信した画像が転送画像であることが表示されるので、発信元から直接着信した画像との区別ができ、転送先の文書整理が的確に行なえる。また、送信案内情報に転送先に転送した画像を転送元でプリントしたかどうかが記載されているので、転送元では転送先からの当該画像の内容に対する問い合わせに対応することができる。
【００１３】
請求項２に係る発明によれば、送信案内情報に、転送元となる通信端末装置が発信元から画像を受信した受信時刻を含んでいる。このため、通信料金が安価な時間帯に画像が転送される場合には、転送元で画像を受信した時間から相当経過した時間に転送先に着信されることがあるが、このような場合でも、転送先では実際に画像が転送元に受信された時間が判断できるので、画像（文書）に含まれている情報に対する処理の遅延を防止することができる。
【００１４】
請求項３に係る発明によれば、送信案内情報に発信者識別番号を含んでいる。このため、転送元から転送された画像の発信者が判断できるので、画像の内容について発信者に直接問い合わせることができる。
【００１５】
【発明の実施の形態】
以下、本発明の実施の形態について図面を参照して説明する。図５は本発明の通信端末装置の制御装置を示す概略のブロック図である。次にこのブロック図について説明する。図５において、通信端末装置の制御装置１１は、各種信号やデ−タを処理するための制御部１２を有している。この制御部１２は、例えばＣＰＵ（中央処理装置）により構成されている。
【００１６】
制御部１２には、回線制御部（ＮＣＵ）１４、モデム１５、画像メモリ１６、ＲＡＭ１７、ＲＯＭ１８、表示部１９、操作部２０、読取部２１、記録部２２、時計部２３が接続されている。
【００１７】
回線制御部１４は外部回線１３と接続され、相手先のダイヤル番号に対応したダイヤルパルスの送出、及び着信を検出する。モデム１５は相手先のファクシミリ装置等の通信端末装置との間で送受信されるデ−タを変調・復調し、回線制御部１４と接続する。このように、回線制御部１４とモデム１５は、画像を送受信する通信部を構成している。制御部１２は後述するように、画像メモリ１６に格納されている画像を読み出し、設定された転送開始時刻に当該画像を所定の転送先に転送する。
【００１８】
画像メモリ１６は、前記回線制御部１４とモデム１５からなる通信部により送受信される画像を格納する。ＲＡＭ１７は予約送信またはメモリ受信における管理デ−タが格納される。また、後述するように、画像に添付される送信案内情報（カバ−ペ−ジ）、転送開始時刻を予め設定しておく転送テ−ブル、転送待キュ−（管理）テ−ブルが格納される。ＲＯＭ１８には通信端末装置の各種動作に必要なデ−タやプログラムが格納される。
【００１９】
陰極線管（ＣＲＴ）や液晶表示器（ＬＣＤ）を用いた表示部１９には、通信端末装置の動作に必要な各種メッセ−ジが表示される。キ−ボ−ドやマウス等からなる操作部２０は通信端末装置の各種動作、停止を指示する。また、原稿の画像の拡大倍率を設定する。
【００２０】
読取部２１は、送信側から送信されてきた原稿の画像を読み取る。両面原稿を読み取る場合は、表面の画像の読み取りと、裏面の画像の読み取りを行なう。記録部２２は送信側から送信されてきた画像を記録紙に記録する。画像の記録は、記録紙の両面に行なう場合と記録紙の片面に行なう場合がある。
【００２１】
前記記録部２２には電子写真方式のプリンタを設け、受信画像や光学読取系で読み取られた画像を、図示しない給紙カセットから供給される定形サイズの記録紙上にコピ−する。なお、プリンタでは各種デ−タを記録紙に記録することができる。また、時計部２３で現在時刻をカウントし、その出力を用いて受信した原稿にその時点の時刻を印字することも可能である。
【００２２】
また、操作部２０には各種キ−が設けられている。例えば、コピ−・ファクシミリ複合機をコピ−モ−ドとファクシミリ通信モ−ドとのいずれの機能を選択するかのコピ−／通信キ−、原稿が文字等のイメ−ジ情報か写真情報かに応じてコピ−の読み取りモ−ド（解像度）を設定する読み取りモ−ドキ−、自動縮小、自動記録紙選択モ−ドを設定するキ−等の各種動作モ−ドを設定するキ−が設けられている。
【００２３】
本発明においては、通信端末装置が画像を転送先に転送する際に、当該画像が転送画像であることを表示する送信案内情報（カバ−ペ−ジ）を添付することを基本的な構成とするものである。
【００２４】
図１は、通信端末装置が受信した画像を所定の転送先に転送する際に、転送先に対する送信案内情報として、当該画像に添付されるカバ−ペ−ジの一例を示す説明図である。
【００２５】
このカバ−ペ−ジには、先頭に転送先（宛先）の名称を入れる。この名称は、図２で説明する転送先電話番号に対応して、ユ−ザが登録しておく。また、「添付原稿は転送原稿です」の文言を記載する。以下、（１）転送元番号・名称、（２）発信元番号・名称、（３）受信日時、（４）転送日時、（５）枚数、（６）転送元でのプリントの有無、が記載される。前記（１）転送元番号・名称には、図１２の通信端末装置３の電話番号と、会社名等の名称を記載する。（２）発信元番号・名称には、図１２の発信元２の電話番号、すなわち、発信者識別番号と、会社名等の名称を記載する。
【００２６】
（３）受信日時には、通信端末装置３が発信元１から画像を受信した日時を記載する。（４）転送日時には、通信端末装置３から転送先４、５に画像を転送した日時を記載する。（５）枚数には、転送先に転送された画像の枚数を記載する。（６）転送元でのプリントの有無には、通信端末装置３で受信して転送先に転送した画像を通信端末装置でプリントしたかどうかを記載する。
【００２７】
送信案内情報としてのカバ−ペ−ジには、前記のように通信端末装置が発信元から画像を受信した日時を記載しているので、転送先においては転送された画像が転送元にはいつ受信されたものであるかを判断することができる。例えば、通信料金が安価な時間帯に画像が転送される場合には、転送元で画像を受信した時間から相当経過した時間に転送先に着信されることがある。
【００２８】
このように、発信元から画像が転送元に送信されてから相当の時間が経過した後に、転送先に画像が着信した場合でも、転送先では実際に画像が転送元に受信された時間が判断できるので、画像（文書）に含まれている情報に対する処理の遅延を防止することができる。
【００２９】
また、カバ−ペ−ジには発信元の電話番号（発信者識別番号）が記載されているので、転送元から転送されてきた画像の内容について直接発信元に問い合わせることができる。更に、転送先に転送した画像を転送元でプリントしたかどうかがカバ−ペ−ジに記載されている。このため、転送元では転送先からの当該画像の内容に対する問い合わせに対応することができる。
【００３０】
図２（Ａ）、（Ｂ）は、通信端末装置が受信した画像を所定の転送先に転送する際に使用する転送時刻登録テ−ブルの一例を示す説明図である。この転送テ−ブルは、ユ−ザが作成してＲＡＭ１７に格納する。図２（Ａ）において、このテ−ブルの（ａ）欄には転送用画像の転送受付開始時刻、（ｂ）欄には転送受付終了時刻、（ｃ）欄には転送開始時刻、（ｄ）欄には転送先電話番号、（ｅ）欄には画像のプリントオン、オフがそれぞれ設定される。転送受付開始時刻から転送受付終了時刻までの時間帯は、転送受付時間帯に相当する。
【００３１】
図２（Ａ）において、（イ）の例は、転送用画像の転送受付開始時刻は１５：００、転送受付終了時刻は１８：００としており、転送開始時刻は通信料金が夜間割引となる２３：００に設定している。また、画像のプリントはオンの設定としている。また、（ロ）の例は、転送用画像の転送受付開始時刻は１８：０１、転送受付終了時刻は１：００としており、転送開始時刻は通信料金が早朝割引となる７：００に設定している。更に、画像のプリントはオフの設定としている。（ロ）の例は、国内とは時差がある海外の事業所が転送先である場合に、通信端末装置のユ−ザにとって有用な設定となっている。
【００３２】
図２（Ａ）の（イ）欄、（ロ）欄、（ハ）欄・・・に示すように、転送受付開始時刻、転送受付終了時刻、転送開始時刻は、転送先に応じてそれぞれ異なる設定としている。以下、本発明においては、（ａ）、（ｂ）、（ｃ）欄の各時刻を、（イ）欄、（ロ）欄に対応させて「第１」、「第２」・・で区別して表現する。例えば、（ａ）欄−（イ）欄に設定されている転送受付開始時刻１５：００を第１転送受付開始時刻、（ｃ）欄−（ロ）欄に設定されている転送開始時刻７：００を、第２転送開始時刻のように表現する。
【００３３】
図２（Ａ）の（ｃ）欄である転送開始時刻は、ユ−ザが手動で入力しているが、通信料金が安価な時間帯に自動設定する構成とすることもできる。この場合には、（ａ）欄で設定した転送受付開始時刻以後の時刻で、転送受付終了時刻に近い時間帯を転送開始時刻として設定する。通信料金が安価な時間帯は予めメモリに記憶されており、転送受付時間帯を設定すると、対応する転送開始時刻を読み出してテ−ブルに書き込む構成としている。このように、転送開始時刻を自動設定することにより、ユ−ザの作業負担を軽減することができる。
【００３４】
図２（Ｂ）は、図２（Ａ）の転送時刻登録テ−ブルに、（ｆ）欄の発信者番号を追加した転送時刻登録テ−ブルの説明図である。図２（Ｂ）においては、発信者番号Ｘａ、Ｘｂ、Ｘｃに対応して、それぞれ転送先電話番号Ｙａ、Ｙｂ、Ｙｃとプリントオン、オフを設定している。
【００３５】
すなわち、図２（Ｂ）においては、発信者毎に特定の転送先電話番号を設定できるので、取引先担当者のように特定の転送先に確実に画像を転送したいという発信者の要請に対応することができる。したがて、通信端末装置において画像転送の利便性を高めることができる。
【００３６】
図３は、転送待キュ−（管理）のテ−ブルの一例を示す説明図である。図３において、（ａ）欄には発信者の電話番号が設定される。これは、ＮＴＴのサ−ビスである「ナンバ−ディスプレイ」の機能を用いて、着信時の相手方（発信元）電話番号を判断し、この電話番号を設定するものである。また、（ｂ）欄には、発信者の名称を、（ｃ）欄には画像の受信日時を、（ｄ）欄には受信した画像の枚数を、（ｅ）欄には転送開始時刻をそれぞれ設定する。
【００３７】
図４は、発信者名称テ−ブルの一例を示す説明図である。このテ−ブルは、（ａ）欄の発信者の電話番号に、（ｂ）欄の名称を対応させたものである。このように、使用頻度が高い発信者の電話番号に発信者の名称を対応させたテ−ブルを作成しておくと、図３の転送待キュ−（管理）のテ−ブルを作成する際に、発信者の電話番号が判明すれば、この電話番号に（ｂ）欄の発信者の名称を直ちに対応させることができる。なお、図３、図４のテ−ブルもユ−ザが作成してＲＡＭ１７に格納される。
【００３８】
図６〜図８は、転送時刻登録の処理手順を示すフロ−チャ−トである。次に、このフロ−チャ−トについて説明する。
【００３９】
（１）ステップＳ１で転送時刻登録の処理プログラムを開始し、ステップＳ２で第１転送受付開始時刻を登録する。次に、ステップＳ３で第１転送受付終了時刻を登録する。続いて、ステップＳ４で転送受付開始時刻は転送受付終了時刻の前であるかどうかを判定する。
【００４０】
（２）ステップＳ４の判定結果がＮＯ（以下、Ｎと略記する）であれば、ステップＳ２の処理の待機状態となる。ステップＳ４の判定結果がＹＥＳ（以下、Ｙと略記する）であれば、ステップＳ５の処理に移行し第１転送開始時刻を自動設定するかどうかを判定する。
【００４１】
（３）ステップＳ５の判定結果がＹであれば、ステップＳ６の処理において、第１転送受付開始時刻以降でかつ第１転送受付終了時刻に近い、通信料金の安価時刻を第１転送開始時刻として自動設定する。ステップＳ５の判定結果がＮであれば、ステップＳ７の処理で、第１転送開始時刻を登録する。ステップＳ７の処理は、ユ−ザが業務内容等を考慮して手動で設定するものである。
【００４２】
（４）前記ステップＳ６、ステップＳ７の処理に続いて、ステップＳ８で第１転送先電話番号を登録する。次に、ステップＳ９で画像のプリントオン、オフを登録し、ステップＳ１０で第２時間帯を登録するかどうかを判定する。この判定結果がＮであれば、ステップＳ２１で処理プログラムを終了する。
【００４３】
（５）ステップＳ１０の判定結果がＹであれば、次にステップＳ１１で第２転送受付開始時刻を登録し、続いてステップＳ１２で第２転送受付開始時刻は第１時間帯、すなわち、第１転送受付開始時刻から第１転送受付終了時刻までの第１転送受付時間帯の範囲内であるかどうかを判定する。
【００４４】
（６）ステップＳ１２の判定結果がＹであれば、ステップＳ１１の処理に戻り再度第２転送受付開始時刻を登録する。ステップＳ１２の判定結果がＮになると、ステップＳ１３で第２転送受付終了時刻を登録する。次に、ステップＳ１４で第２転送受付終了時刻は第１時間帯の範囲内であるかどうか、すなわち、第１転送受付開始時刻から第１転送受付終了時刻までの第１転送受付時間帯の範囲内であるかどうかを判定する。
【００４５】
（７）ステップＳ１４の判定結果がＹであれば、ステップＳ１３の処理に戻り再度第２転送受付終了時刻を登録する。ステップＳ１４の判定結果がＮであれば、ステップＳ１５の処理に移行し、転送受付開始時刻は転送受付終了時刻の前であるかどうかを判定する。この判定結果がＮであれば、ステップＳ１１の処理に戻り再度第２転送受付開始時刻を登録する。
【００４６】
（８）ステップＳ１５の判定結果がＹになると、ステップＳ１６の処理に移行し、第２転送開始時刻を自動設定するかどうかを判定する。この判定結果がＮであれば、ステップＳ１７の処理で第２転送開始時刻を登録する。ステップＳ１６の判定結果がＹであれば、ステップＳ１８の処理で第２転送受付開始時刻以降でかつ第２転送受付終了時刻に近い、通信料金の安価時刻を第２転送開始時刻として自動設定する。
【００４７】
（９）前記ステップＳ１７、ステップＳ１８の処理に続いて、ステップＳ１９の処理で第２転送先電話番号を登録する。次に、ステップＳ２０の処理で画像のプリントオン、オフを登録し、ステップＳ２１で処理プログラムを終了する。
【００４８】
図９〜図１１は、画像の転送処理の手順を示すフロ−チャ−トである。次に、このフロ−チャ−トについて説明する。
【００４９】
（１）ステップＳ３０で処理プログラムを開始し、ステップＳ３１で画像の着信有かどうかを判定する。この判定結果がＹであれば、次にステップＳ３２の処理で発信者番号を検出し、続いてステップＳ３６の処理で外部回線を閉結する。ステップＳ３１の判定結果がＮであれば、ステップＳ３３の処理で転送待の画像が有かどうかを判定する。
【００５０】
（２）ステップＳ３３の判定結果がＮであれば、ステップＳ３１の処理に戻り、画像着信の有無を判定する処理の待機状態となる。ステップＳ３３の判定結果がＹであれば、次にステップＳ３４の処理で、第１転送開始時刻が経過し、かつ第１転送待ち予約の画像があるかどうかを判定する。
【００５１】
（３）ステップＳ３４の判定結果がＮであれば、次にステップＳ３５の処理に移行し、第２転送開始時刻が経過し、かつ第２転送待ち予約の画像があるかどうかを判定する。この判定結果がＮであれば、ステップＳ３１に戻り画像の着信の有無を判定する処理の待機状態となる。
【００５２】
（４）ステップＳ３６で外部回線を閉結すると、次にステップＳ３７の処理で画像を受信して画像メモリに格納する。この際に、各画像には所定のファイル番号を付与する。続いて、ステップＳ３８の処理で画像の受信は、第１転送受付時間帯内かどうかを判定する。
【００５３】
（５）ステップＳ３８の判定結果がＹであれば、次にステップＳ３９の処理に移行し、第１転送開始時刻まで転送待ち管理テ−ブルに転送予約を格納する。続いてステップＳ４０の処理で第１転送開始時刻を過ぎているかどうかを判定する。この判定結果がＹであれば、ステップＳ４１の処理で第１転送先に発呼する。また、前記ステップＳ３４の判定結果がＹのときにも、ステップＳ４１の処理で第１転送先に発呼する。ステップＳ４０の判定結果がＮであれば、ステップＳ３１の処理に戻り着信の有無を判定する処理の待機状態となる。
【００５４】
（６）ステップＳ４１の処理で第１転送先に発呼すると、次にステップＳ４２の処理で図１で説明したようなカバ−ペ−ジを作成し、画像変換して転送先に送出する。続いて、ステップＳ４３の処理で画像メモリ内に格納されている該当の画像を第１転送先に送信する。
【００５５】
（７）次にステップＳ４４の処理でプリント設定有かどうかを判定する。この判定結果がＹであれば、ステップＳ４５の処理で画像メモリ内に格納されている該当の画像をプリントする。ステップＳ４４の判定結果がＮでプリント設定がない場合、およびステップＳ４５のプリント処理を実行した後には、ステップＳ４６の処理で送出した画像を消去する。その後、ステップＳ３１に戻り画像の着信の有無を判定する処理の待機状態となる。
【００５６】
（８）ステップＳ３８の処理で、画像の受信は第１転送受付時間帯内かどうかを判定した結果がＮの場合には、ステップＳ４７の処理に移行し、画像の受信は第２転送受付時間帯内かどうかを判定する。ステップＳ４７の判定結果がＮであれば、受信した画像は転送が設定されていないことになるので、ステップＳ４９の処理で画像メモリに格納されている画像をプリントし、続いてステップＳ４６の処理で画像を消去する。
【００５７】
（１０）ステップＳ４７の判定結果がＹであれば、ステップＳ４８の処理で第２転送開始時刻まで転送待ち管理テ−ブルに転送予約を格納する。次に、ステップＳ５０の処理で第２転送開始時刻を過ぎているかどうかを判定する。この判定結果がＹであれば、次にステップＳ５１の処理に移行して第２転送先に発呼する。また、前記ステップＳ３５の判定結果がＹのときにも、ステップＳ５１の処理で第２転送先に発呼する。ステップＳ５１の処理に続いてステップＳ４２の処理に戻り、カバ−ペ−ジを作成し、画像変換して第２転送先に送出する。ステップＳ５０の判定結果がＮの場合には、ステップＳ３１の処理に戻り着信の有無を判定する待機状態となる。
【００５８】
【発明の効果】
以上説明したように、請求項１に係る発明によれば、送信案内情報を転送先で記録紙にプリントすることにより、着信した画像が転送画像であることが表示されるので、発信元から直接着信した画像との区別ができ、転送先の文書整理が的確に行なえる。また、送信案内情報に転送先に転送した画像を転送元でプリントしたかどうかが記載されているので、転送元では転送先からの当該画像の内容に対する問い合わせに対応することができる。
【００５９】
請求項２に係る発明によれば、送信案内情報に、転送元となる通信端末装置が発信元から画像を受信した受信時刻を含んでいる。このため、通信料金が安価な時間帯に画像が転送される場合には、転送元で画像を受信した時間から相当経過した時間に転送先に着信されることがあるが、このような場合でも、転送先では実際に画像が転送元に受信された時間が判断できるので、画像（文書）に含まれている情報に対する処理の遅延を防止することができる。
【００６０】
請求項３に係る発明によれば、送信案内情報に発信者識別番号を含んでいる。このため、転送元から転送された画像の発信者が判断できるので、画像の内容について発信者に直接問い合わせることができる。
【図面の簡単な説明】
【図１】本発明によるカバ−ペ−ジの一例を示す説明図である。
【図２】転送時刻登録テ−ブルの一例を示す説明図である。
【図３】転送待キュ−（管理）のテ−ブルの一例を示す説明図である。
【図４】発信者名称テ−ブルの一例を示す説明図である。
【図５】通信端末装置に用いられる制御装置のブロック図である。
【図６】本発明の処理手順を示すフロ−チャ−トである。
【図７】本発明の処理手順を示すフロ−チャ−トである。
【図８】本発明の処理手順を示すフロ−チャ−トである。
【図９】本発明の処理手順を示すフロ−チャ−トである。
【図１０】本発明の処理手順を示すフロ−チャ−トである。
【図１１】本発明の処理手順を示すフロ−チャ−トである。
【図１２】画像転送の構成を示すブロック図である。
【符号の説明】
１１    制御装置
１２    中央演算制御部（ＣＰＵ）
１３    外部回線
１４    回線制御部（ＮＣＵ）
１５    モデム
１６    画像メモリ
１９    表示部
２０    操作部
２１    読取部
２２    記録部
【図１】
0003557995.tif 000002
【図２】
0003557995.tif 000003
【図３】
0003557995.tif 000004
【図４】
0003557995.tif 000005
【図５】
0003557995.tif 000006
【図６】
0003557995.tif 000007
【図７】
0003557995.tif 000008
【図８】
0003557995.tif 000009
【図９】
0003557995.tif 000010
【図１０】
0003557995.tif 000011
【図１１】
0003557995.tif 000012
【図１２】
0003557995.tif 000013